【事件の表示】
　特許第３１６６６３９号「電話装置」の請求項１ないし３に係る特許に対する特許異議の申立てについて、次のとおり決定する。
【結　論】
　訂正を認める。
　特許第３１６６６３９号の請求項１に係る特許を取り消す。
【理　由】
第１　手続きの経緯
　本件特許第３１６６６３９号の請求項１ないし３に係る発明は、平成８年１２月１６日に出願され、平成１３年３月９日に特許の設定登録がなされ、その後、平成１３年９月１２日に異議申立人小林勝男より、請求項１ないし３に係る発明について特許異議の申立てがなされ、これにより、当審における合議の結果、平成１４年１月１７日付けで請求項１ないし３に係る特許について取消理由が通知され、その指定期間内である同年４月１日に特許異議意見書が提出され、同時に訂正請求が行われたものである。
　
第２　訂正の適否
１．訂正の内容
（１）訂正事項ａ
　特許請求の範囲の請求項１中の「前記外線へ着信の到来を示す端末起動信号が到来してから着信開始を示す呼出信号が到来するまでの間は該外線を捕捉禁止状態にする」を「前記外線へ着信の到来を示す端末起動信号が到来してから着信開始を示す呼出信号が到来するまでの間は外線捕捉要求に対して該外線を捕捉させない捕捉禁止状態にし、前記電話装置に接続された電話機が前記捕捉禁止状態の外線の捕捉操作を行った場合その電話機をビジー状態にする手段を備えた」と訂正する。
　これに伴い、明細書の段落番号［０００４］中の「外線へ着信の到来を示す端末起動信号が到来してから着信開始を示す呼出信号が到来するまでの間はこの外線を捕捉禁止状態に設定するようにしたものである。」を「外線へ着信の到来を示す端末起動信号が到来してから着信開始を示す呼出信号が到来するまでの間は外線捕捉要求に対して該外線を捕捉させない捕捉禁止状態にし、電話装置に接続された電話機が捕捉禁止状態の外線の捕捉操作を行った場合その電話機をビジー状態にする手段を設けたものである。」と訂正する。
（２）訂正事項ｂ
　特許請求の範囲の請求項２を削除する。
　これに伴い、明細書の段落番号［０００４］中の「また、電話装置に電話機を接続し、電話機が捕捉禁止状態の外線の捕捉操作を行った場合その電話機をビジー状態とする手段を設けたものである。」を削除する。
（３）訂正事項ｃ
　特許請求の範囲の請求項３を削除する。
　これに伴い、明細書の段落番号［０００４］中の「また、電話装置に外線の状態を表示する表示部を有する電話機を接続し、上記捕捉禁止状態の外線の表示を捕捉不可を示す可視表示として表示部に表示する表示制御手段を設けたものである。」を削除する。
　
２．訂正の目的の適否、新規事項の有無及び拡張・変更の存否
（１）前記訂正事項ａのうち、訂正前の特許明細書の請求項１に記載された「前記外線へ着信の到来を示す端末起動信号が到来してから着信開始を示す呼出信号が到来するまでの間は該外線を捕捉禁止状態にする」を「前記外線へ着信の到来を示す端末起動信号が到来してから着信開始を示す呼出信号が到来するまでの間は外線捕捉要求に対して該外線を捕捉させない捕捉禁止状態にし、前記電話装置に接続された電話機が前記捕捉禁止状態の外線の捕捉操作を行った場合その電話機をビジー状態にする手段を備えた」と訂正する点は、「捕捉禁止状態」の内容を「外線捕捉要求に対して」と限定しようとするものであり、また、「電話装置」の内容を「前記電話装置に接続された電話機が前記捕捉禁止状態の外線の捕捉操作を行った場合その電話機をビジー状態にする手段を備えた」に限定するものであるから、これらの訂正は、特許法第１２０条の４第２項ただし書き第１号に規定する特許請求の範囲の減縮を目的とするものである。
　また、前記訂正事項ａのうち、明細書の段落番号［０００４］中の「外線へ着信の到来を示す端末起動信号が到来してから着信開始を示す呼出信号が到来するまでの間はこの外線を捕捉禁止状態に設定するようにしたものである。」を「外線へ着信の到来を示す端末起動信号が到来してから着信開始を示す呼出信号が到来するまでの間は外線捕捉要求に対して該外線を捕捉させない捕捉禁止状態にし、電話装置に接続された電話機が捕捉禁止状態の外線の捕捉操作を行った場合その電話機をビジー状態にする手段を設けたものである。」と訂正する点は、上記した特許請求の範囲の減縮に伴い、当該減縮事項との関係で不合理が生じないよう、その内容を変更したものであって、実質的な訂正ではなく、特許法第１２０条の４第２項ただし書き第３号に規定する明りょうでない記載の釈明を目的とするものである。
（２）前記訂正事項ｂのうち、訂正前の特許明細書の請求項２を削除する点は特許法第１２０条の４第２項ただし書き第１号に規定する特許請求の範囲の減縮を目的とするものである。
　また、前記訂正事項ｂのうち、明細書の段落番号［０００４］中の「また、電話装置に電話機を接続し、電話機が捕捉禁止状態の外線の捕捉操作を行った場合その電話機をビジー状態とする手段を設けたものである。」を削除する点は、上記した特許請求の範囲の減縮に伴い、当該減縮事項との関係で不合理が生じないよう、その内容を変更したものであって、実質的な訂正ではなく、特許法第１２０条の４第２項ただし書き第３号に規定する明りょうでない記載の釈明を目的とするものである。
（３）前記訂正事項ｃのうち、訂正前の特許明細書の請求項３を削除する点は特許法第１２０条の４第２項ただし書き第１号に規定する特許請求の範囲の減縮を目的とするものである。
　また、前記訂正事項ｃのうち、明細書の段落番号［０００４］中の「また、電話装置に外線の状態を表示する表示部を有する電話機を接続し、上記捕捉禁止状態の外線の表示を捕捉不可を示す可視表示として表示部に表示する表示制御手段を設けたものである。」を削除する点は、上記した特許請求の範囲の減縮に伴い、当該減縮事項との関係で不合理が生じないよう、その内容を変更したものであって、実質的な訂正ではなく、特許法第１２０条の４第２項ただし書き第３号に規定する明りょうでない記載の釈明を目的とするものである。
（４）前記訂正事項ａ〜ｃは、願書に添付した明細書又は図面に記載した事項の範囲内の訂正であるとともに、実質上特許請求の範囲を拡張し、又は変更するものでもない。
　
３．結び
　したがって、前記訂正は、特許法第１２０条の４第２項及び同条第３項において準用する特許法第１２６条第２項から第３項の規定に適合するので、当該訂正を認める。
　
第３　特許異議の申立てについて
１．特許異議の申立ての概要
　本件特許異議申立人は、以下の理由により、本件の請求項１ないし３に係る特許は、全て取り消されるべきである旨主張する。
（１）本件の請求項１ないし３に係る発明のいずれも、本件の特許出願前の出願であって、その出願後に出願公開された特願平７−３１８８５８号（特開平９−１６２９５６号公報参照、甲第１号証）（以下、「先願」という。）の願書に最初に添付した明細書及び図面に記載された発明（以下、「先願発明」という。）と同一と認められ、しかも、本件各発明の発明者が上記先願発明の発明者と同一の者であるとも、また本件出願の時にその出願人が上記先願の出願人と同一であるとも認められないので、それらの特許は、特許法第２９条の２の規定に違反して特許されたものである。
（２）本件の請求項１ないし３に係る発明のいずれも、本件の特許出願前に頒布された刊行物である特開平７−２０３００６号公報（甲第２号証）並びに特開平１−３３９８４号公報（甲第３号証）に記載された発明に基づいて、その出願前に当業者が容易に発明をすることができたものであるから、それらの特許は、特許法第２９条第２項の規定に違反してなされたものである。
（３）本件の請求項１ないし３に係る発明のいずれも、「外線を捕捉禁止状態にする」点の構成が不明瞭であるから、それらの特許は、特許法第３６条第４項または第６項の規定に違反してなされたものである。
　
２．本件の請求項に係る発明
　上記したように本件は訂正が認められるから、本件の請求項１に係る発明（以下、「本件発明」という。）は、前記訂正請求に係る訂正明細書の特許請求の範囲の請求項１に記載されたとおりの次の事項により特定されるものである。
　
　「発信者の電話番号を示す発ＩＤを発信側の発呼に基づき着信側へ通知する交換機に接続される外線を収容した電話装置において、
　前記外線へ着信の到来を示す端末起動信号が到来してから着信開始を示す呼出信号が到来するまでの間は外線捕捉要求に対して該外線を捕捉させない捕捉禁止状態にし、
　前記電話装置に接続された電話機が前記捕捉禁止状態の外線の捕捉操作を行った場合その電話機をビジー状態にする手段を備えたことを特徴とする電話装置。」
　
３．引用発明
　一方、当審で通知した取消理由で引用した特開平７−２０３００６号公報（以下、「刊行物」という。）には次の事項が記載されている。
（１）発信者番号を示す発信者番号情報を、所定のベル信号の断続によりなる着信信号における第ｋ番目（ｋは所定の整数）のベル信号と第ｋ＋１番目のベル信号との間隙に挿入して着信側に通知する機能を有した網に接続されるものであり、着信時には受信手段により受信された前記発信者番号情報に対応する発信者番号を着信先の内線端末に設けられた表示手段に表示するボタン電話装置において、
　前記ベル信号を検出するための検出手段と、
　この検出手段により最初のベル信号が検出されてから前記第ｋ＋１番目のベル信号が検出されるまでは着信先の内線端末による応答を禁止する応答禁止手段と、
　前記検出手段により前記第ｋ番目までのベル信号が検出されているときには着信先の内線端末を鳴動させず、前記第ｋ＋１番目のベル信号が前記検出手段により検出されたことに応じて着信先の内線端末の鳴動を開始させるとともに、前記受信手段により受信された前記発信者番号情報に対応する発信者番号の前記表示器への表示を開始させる着信制御手段とを具備したことを特徴とするボタン電話装置。（特許請求の範囲請求項１）
（２）制御部１７はベル信号検出が通知されると、局線3-1 に対する秘話モードをオンするとともに、内線電話機 2-1〜2-m のそれぞれに対してＬＥＤ点灯データを与え、局線3-1 に対応するキーのＬＥＤを点灯させる。すなわち、内線電話機 2-1〜2-m のそれぞれにおいて、ＬＥＤ群２６のうちの局線3-1 に対応するＬＥＤを点灯させて局線3-1 が使用不可能であることを表示するとともに、機能キー群２５のうちの局線3-1 を選択するためのキーが押下されたとしてもこれを無視し、内線電話機 2-1〜2-m からの局線3-1 の使用を禁止する。かくして、上記着信に対する応答は禁止される。（４頁段落【００３３】）
（３）さらに本実施例では、第１ベル信号が到来してから第２ベル信号が到来するまでの間には、内線電話機 2-1〜2-m のそれぞれにおいて着信が発生した局線３に関して秘話モードを設定し、当該局線３を選択するキー操作を受付けないようにしているので、例えば発信を行うべく発信者番号データの到来を待ち受けている局線の捕捉を指示するキー操作が行われたとしても、これは無視されて発信者番号データが到来するまで確実に待つことができる。しかも本実施例では、発信者番号データが到来するのを待ち受けている期間には、ＬＥＤを点灯することによってその旨を表示しているので、ユーザはキー操作が無視された場合でも、その理由を簡単に知ることができる。（５頁段落【００４１】）
（４）また上記実施例では、“ＣＬＡＳＳ”と呼ばれるサービスを行う網に接続されるボタン電話装置を例示しているが、発信者番号を呼出信号中にて加入者側に通知する機能をもった網に接続されるボタン電話装置であれば、他の網に接続されるものであっても本発明の適用が可能である。
　このほか、本発明の要旨を逸脱しない範囲で種々の変形実施が可能である。（５頁段落【００４４】）
　
　以上の記載及び図面並びにこの技術分野における技術常識を勘案すると、上記「ボタン電話装置」は「電話装置」であり、上記「発信者番号情報」が「発信側の発呼に基づき着信側へ通知される」ことは自明のことであり、上記「網」、「局線」、「内線端末」がそれぞれ「交換機」、「外線」、「電話機」と同義であることを考慮すると、上記「電話装置」は「発信者番号を示す発信者番号情報を発信側の発呼に基づき着信側へ通知する交換機に接続される外線を収容している」から、上記刊行物１には、以下の発明（以下、「引用発明」という。）が記載されている。
　「発信者番号を示す発信者番号情報を発信側の発呼に基づき着信側へ通知する交換機に接続される外線を収容した電話装置において、
　第１ベル信号が到来してから第２ベル信号が到来するまでの間は着信先の電話機による応答を禁止し、
　前記電話装置に接続された電話機が前記応答禁止状態の外線の捕捉操作を行った場合、これを無視する手段を備えたことを特徴とする電話装置。」
　
４．対比・判断
　ついで、本件発明と引用発明とを対比するに、引用発明の「発信者番号を示す発信者番号情報」、「第１ベル信号」、「第２ベル信号」はそれぞれ本件発明の「発信者の電話番号を示す発ＩＤ」、「外線へ着信の到来を示す端末起動信号」、「着信開始を示す呼出信号」に対応し、引用発明における「着信先の電話機による応答を禁止し」は、電話機による外線捕捉操作を無視するものであるから、本件発明の「外線捕捉要求に対して該外線を捕捉させない捕捉禁止状態に」することと同じである。
　また、本件発明の「その電話機をビジー状態にする」手段と引用発明の「その操作を無視する」手段はいずれも「所望の処理を行う」手段であるという点で一致する。
　したがって、本件発明と引用発明とは、
　「発信者の電話番号を示す発ＩＤを発信側の発呼に基づき着信側へ通知する交換機に接続される外線を収容した電話装置において、
　前記外線へ着信の到来を示す端末起動信号が到来してから着信開始を示す呼出信号が到来するまでの間は外線捕捉要求に対して該外線を捕捉させない捕捉禁止状態にし、
　前記電話装置に接続された電話機が前記捕捉禁止状態の外線の捕捉操作を行った場合所望の処理を行う手段を備えたことを特徴とする電話装置。」
の点で一致し、以下の点で相違している。
　
＜相違点＞
　「所望の処理」に関し、本件発明は「その電話機をビジー状態にする」ものであるのに対し、引用発明は「その操作を無視する」ものである点。
　
　そこで、上記相違点について考察するに、本件発明の「その電話機をビジー状態にする」手段は、発明の詳細な説明中の段落【００１９】の「このような外線に対して子機ＴＥＬ側で該当外線キーを操作して外線捕捉要求を行った場合は、該子機ＴＥＬに対しビジートーンを送出させ、該当外線を捕捉させないようにしたものである。」という記載によれば、「子機ＴＥＬに対しビジートーンを送出させる」ことである。
　一方、上記引用発明の実施例では、「第１ベル信号が到来してから第２ベル信号が到来するまでの間には、内線電話機 2-1〜2-m のそれぞれにおいて着信が発生した局線３に関して秘話モードを設定し、当該局線３を選択するキー操作を受付けないようにしている」ものであり、当該「外線」は「秘話モード」による「使用中」に設定されるものである。
　そして、使用中の外線を捕捉しようとすれば「ビジートーン」が返送されることは、例えば特開平４−３５４４９６号公報段落【００１３】又は特開平３−２５４５５８号公報２頁左上欄９〜１８行目に記載されているように電話装置において普通に用いられている警報手段である。
　してみると、「電話機が前記捕捉禁止状態の外線の捕捉操作を行った場合」の引用発明の手段において「ビジートーンを送出させる」構成を付加して本願発明のように構成する程度のことは単なる慣用手段の付加に過ぎず、当業者であれば容易になし得ることである。
　
５．結び
　以上のとおりであるから、本件発明は、上記刊行物に記載された発明ないし慣用手段に基いて当業者が容易に発明をすることができたものであり、特許法第２９条第２項の規定に違反してされたものであるから、本件発明についての特許は特許法第１１３条第２号に該当し、取り消されるべきものである。
　
　よって結論のとおり決定する。
　
【異議決定日】
平成１４年５月１３日（２００２．５．１３）
【訂正の要旨】
（３）訂正の要旨
　▲１▼訂正事項ａ
　特許請求の範囲の減縮および明りょうでない記載の釈明を目的として、特許請求の範囲の請求項１中の「前記外線へ着信の到来を示す端末起動信号が到来してから，着信開始を示す呼出信号が到来するまでの間は該外線を捕捉禁止状態にする」を「前記外線へ着信の到来を示す端末起動信号が到来してから着信開始を示す呼出信号が到来するまでの間は外線捕捉要求に対して該外線を捕捉させない捕捉禁止状態にし、前記電話装置に接続された電話機が前記捕捉禁止状態の外線の捕捉操作を行った場合その電話機をビジー状態にする手段を備えた」と訂正する。
　これに伴い、特許請求の範囲の記載と発明の詳細な説明の記載との整合を図るため、特許請求の範囲の減縮および明りょうでない記載の釈明を目的として、本件特許明細書の段落番号［０００４］中の「外線へ着信の到来を示す端末起動信号が到来してから着信開始を示す呼出信号が到来するまでの間はこの外線を捕捉禁止状態に設定するようにしたものである。」を「外線へ着信の到来を示す端末起動信号が到来してから着信開始を示す呼出信号が到来するまでの間は外線捕捉要求に対して該外線を捕捉させない捕捉禁止状態にし、電話装置に接続された電話機が捕捉禁止状態の外線の捕捉操作を行った場合その電話機をビジー状態にする手段を設けたものである。」と訂正する。
　▲２▼訂正事項ｂ
　特許請求の範囲の減縮を目的として、特許請求の範囲の請求項２を削除する。これに伴い、特許請求の範囲の記載と発明の詳細な説明の記載との整合を図るため、特許請求の範囲の減縮を目的として、本件特許明細書の段落番号［０００４］中の「また、電話装置に電話機を接続し、電話機が捕捉禁止状態の外線の捕捉操作を行った場合その電話機をビジー状態とする手段を設けたものである。」を削除する。
　▲３▼訂正事項ｃ
　特許請求の範囲の減縮を目的として、特許請求の範囲の請求項３を削除する。これに伴い、特許請求の範囲の記載と発明の詳細な説明の記載との整合を図るため、特許請求の範囲の減縮を目的として、本件特許明細書の段落番号［０００４］中の「また、電話装置に外線の状態を表示する表示部を有する電話機を接続し、上記捕捉禁止状態の外線の表示を捕捉不可を示す可視表示として表示部に表示する表示制御手段を設けたものである。」を削除する。
（５４）【発明の名称】
電話装置
（５７）【特許請求の範囲】
　【請求項１】　発信者の電話番号を示す発ＩＤを発信側の発呼に基づき着信側へ通知する交換機に接続される外線を収容した電話装置において、
　前記外線へ着信の到来を示す端末起動信号が到来してから着信開始を示す呼出信号が到来するまでの間は外線捕捉要求に対して該外線を捕捉させない捕捉禁止状態にし、
　前記電話装置に接続された電話機が前記捕捉禁止状態の外線の捕捉操作を行った場合その電話機をビジー状態にする手段を備えたことを特徴とする電話装置。
【発明の詳細な説明】
　【０００１】
　【発明の属する技術分野】
　本発明は、着信時に発信者の電話番号の受信が可能な電話装置に関する。
　【０００２】
　【従来の技術】
　一般にＩＳＤＮ網等のデジタル交換網では、着信時に発信者の電話番号を着信端末側に通知する機能を有しているが、近年は、アナログ交換網においてもこのような発信者電話番号（以下、発ＩＤ）の通知サービスが検討されている。
　こうしたアナログ交換網における発信者番号の通知シーケンスは以下の通りである。即ち、発呼者が着信先に発呼すると、交換機側ではまず転極信号を局線等の外線を介して着信端末に送信すると共に、１６Ｈｚの周波数の端末起動信号を該外線に短い時間送出する。着信端末側でこの転極信号及び起動信号を検出し外線の直流ループを閉結して一次応答すると、交換機側では発ＩＤをモデム信号により着信端末へ送信する。そして、この発ＩＤを受信した着信端末側で閉結していた外線の直流ループを開放すると、交換機側では発ＩＤの受信完了と判断して着信端末に対し１６Ｈｚの着信信号（呼出信号）を送出するようにしている。
　【０００３】
　【発明が解決しようとする課題】
　ところで外線を収容する電話装置では、電話機側で外線捕捉操作を行うと、外線が捕捉され該捕捉外線を介する発信通話や着信応答通話が行われる。しかし、こうした電話装置に収容された上述の発ＩＤの通知機能を有する外線の着信の際、端末起動信号が出力されてから呼出信号が送出されるまでの間に電話機の外線捕捉操作が行われると、その外線が捕捉されてその直流ループが閉結されるため、この電話装置に発呼した発信者側にはビジートーンが返送されるという問題があった。
　従って本発明は、発ＩＤの通知機能を有する外線の着信時には不用意に該外線を捕捉しないようにして発信側にビジートーンが返送される問題を回避することを目的とする。
　【０００４】
　【課題を解決するための手段】
　このような課題を解決するために本発明は、発信者の電話番号を示す発ＩＤを発信側の発呼に基づき着信側へ通知する交換機に接続される外線を収容した電話装置において、外線へ着信の到来を示す端末起動信号が到来してから着信開始を示す呼出信号が到来するまでの間は外線捕捉要求に対して該外線を捕捉させない捕捉禁止状態にし、電話装置に接続された電話機が捕捉禁止状態の外線の捕捉操作を行った場合その電話機をビジー状態にする手段を設けたものである。
　【０００５】
　【発明の実施の形態】
　以下、本発明について図面を参照して説明する。
　図１は、本発明に係る電話装置の構成を示すブロック図である。この電話装置は、複数の外線Ｌ１〜Ｌｎを収容すると共に、複数の電話機（以下、子機）ＴＥＬ１〜ＴＥＬｍを収容して外線と子機間、或いは各子機間の交換接続を行うものである。
　【０００６】
　この電話装置の主装置１には、各外線Ｌ１〜Ｌｎに接続され着信検出や外線捕捉或いはダイヤル発信等を行う外線インタフェース１１ｌ〜１１ｎが設けられ、各外線インタフェースが通話路スイッチ等の回線交換回路１３や図示しない電話機インタフェースを経由して各子機ＴＥＬ１〜ＴＥＬｍに接続されるような構成となっている。そして、ＣＰＵ１５により外線インタフェース１１ｌ〜１１ｎや回線交換回路１３が制御され、外線と子機間、或いは各子機間の交換接続処理が行われる。
　【０００７】
　また、各外線Ｌ１〜Ｌｎにはスイッチ回路１８，１９が接続され、スイッチ回路１８，１９の出力側がそれぞれ外線状態監視回路１２及び発ＩＤ受信回路１４に接続される構成となっている。
　ここで外線状態監視回路１１は外線Ｌの転極及び復極を検出する回路であり、また発ＩＤ受信回路１４はモデムにより構成され、着信時に図示しない交換機側から外線を介して送出される発ＩＤを受信するものである。
　【０００８】
　即ち、この電話装置は、着信時に交換機側から発ＩＤが通知される複数の外線Ｌ１〜Ｌｎを収容するもので、収容された複数の外線から通知される発ＩＤを受信する場合、スイッチ回路１８，１９を制御することにより収容外線数より少ない数の発ＩＤ受信回路で発ＩＤの受信を可能とするものである。
　ここで、発呼者が着信先に発呼すると、交換機側ではまず転極信号を外線Ｌに送出すると共に、１６Ｈｚの周波数の端末起動信号を短い時間送出する。するとＣＰＵ１５は、外線状態監視回路１２からその転極を検出するために、スイッチ回路１８を制御してまず外線Ｌ１と外線状態監視回路１２とを接続して外線状態監視回路１２を介し外線Ｌ１の転極検出を行う。そしてこのとき、転極が検出できなければ次にスイッチ回路１８を制御して外線Ｌ２と外線状態監視回路１２を接続し、同様に外線Ｌ２の転極検出を行う。
　【０００９】
　こうしたＣＰＵ１５のスイッチ回路１８の制御による、各外線Ｌと外線状態監視回路１２との選択的な接続は、外線から転極が検出されるまで順次行われる。そして、該当外線の転極が外線状態監視回路１２を介して検出されると、ＣＰＵ１５は、転極信号が検出された該当外線に接続される外線インタフェース１１の着信検出回路を介して端末起動信号を検出し、これの検出後、同外線インタフェース１１を制御してその外線のループを閉結することにより、一次応答信号を交換機側へ返送する。また、このとき、ＣＰＵ１５は、転極が検出された外線と発ＩＤ受信回路１４とが接続されるように、スイッチ回路１９を切替制御する。
　【００１０】
　電話装置側から一次応答信号が送出されると、交換機側では発ＩＤをモデム信号によりその外線に送出する。すると、その発ＩＤはその外線にスイッチ回路１９を介して接続されている発ＩＤ受信回路１４によって受信される。この場合、ＣＰＵ１５は、この受信した発ＩＤを発ＩＤ受信回路１４から入力して図示しないメモリに記憶すると共に子機ＴＥＬに対してその番号の表示を行わせる。そして、発ＩＤの受信及び入力が完了すると、該当外線のループを開放する。すると、交換機側では発ＩＤの受信完了と判断して該当外線に着信信号（呼出信号）を送出する。これにより、着信信号が該当外線インタフェース１１を介してＣＰＵ１５により検出される。そしてＣＰＵ１５から、着信データが子機ＴＥＬに送られて子機ＴＥＬが着信鳴動する。ここで、何れかの子機ＴＥＬがこの着信に応答することにより、該当外線の直流ループが閉結され二次応答信号が交換機側へ送出されると、交換機では該当外線を復極する。
　このようにして、発ＩＤが通知される複数の外線Ｌ１〜Ｌｎを収容した場合でも、スイッチ回路１８，１９を順次切替選択することにより、その収容外線数より少ない外線状態監視回路１２及び発ＩＤ受信回路１４で、それぞれ転極／復極の検出及び発ＩＤの受信が可能になる。
　【００１１】
　次に図２は発ＩＤ通知機能を有する外線Ｌ１〜Ｌｎを収容した電話装置をボタン電話装置に適用した例を示すブロック図である。このボタン電話装置は、各外線Ｌ１〜Ｌｎに外線状態監視回路１２ｌ〜１２ｎを接続し、かつ回線交換回路１３の出力側に収容外線の数より少ない発ＩＤ受信回路１４ｌ〜１４ｘを接続した例である。この場合、ボタン電話装置のＣＰＵ１５は、外線Ｌの着信時に対応の外線状態監視回路１２により転極を検出し、かつ対応の外線インタフェース１１を介して起動信号を入力すると、該当外線の直流ループを閉結し一次応答信号を送出すると共に、回線交換回路１３を制御し該当外線Ｌと各発ＩＤ受信回路１４ｌ〜１４Ｘのうち空いている発ＩＤ受信回路１４との間のパスを接続して該当外線からの発ＩＤを受信させる。このようにして発ＩＤの通知機能を有する収容外線数より少ない数の発ＩＤ受信回路で各外線からの発ＩＤを受信できる。
　【００１２】
　なお、ボタン電話機である子機ＴＥＬは、制御部２１、主装置１との間で伝送を行う伝送回路２２、各外線対応に設けられ赤色または緑色点灯する外線ランプ及び発ＩＤを表示するＬＣＤからなる表示部２３、通話回路２４、各外線対応に上記外線ランプの近傍に設けられた外線キー２５、ダイヤルキー２６、保留キー等の機能キー２７、及びフックスイッチＨＳ等からなる。
　【００１３】
　このように構成された装置において、ＣＰＵ１５は外線状態監視回路１２，外線インタフェース１１を介し外線Ｌの転極信号及び起動信号を検出して、一次応答信号を交換機側へ返送すると、上述したように回線交換回路１３を制御し、その外線と空いている発ＩＤ受信回路１４とを接続しその空いている発ＩＤ受信回路１４に交換機側から送出される発ＩＤを受信させる。
　そして、受信した発ＩＤを入力して電話機インタフェース１７を介し子機ＴＥＬへ伝送し子機の表示部２３のＬＣＤに表示させ、その後、該当外線のループを開放する。すると、交換機側では該当外線に着信信号を送出するが、ＣＰＵ１５はこの着信信号を検出すると、電話機インタフェース１７を介して着信データを子機ＴＥＬに伝送する。これにより、子機ＴＥＬでは表示部２３の該当外線ランプが緑色点滅し、かつ図示しないブザーが着信鳴動する。なお、子機ＴＥＬの外線ランプは外線着信時には上述のように緑色点滅し、通話中には緑色点灯する。また他の子機でその外線が使用されている場合には赤色点灯する。
　【００１４】
　次に図３は、発ＩＤ通知機能を有する外線Ｌ１〜Ｌｎを収容した主装置１内のＣＰＵ１５の動作を示すフローチャートである。このフローチャート及び図２を参照しながら本発明の要部動作について詳細に説明する。
　収容した各外線Ｌ１〜Ｌｎについての状態検出のために、ステップＳ１で外線番号をセットする。この場合、まず外線Ｌ１に相当する番号がレジスタ等にセットされ、選択された外線Ｌ１についての状態検出処理がステップＳ２以降で行われる。即ち、ステップＳ２ではこの外線Ｌ１に対する捕捉要求ありかを判断し、これが「Ｎ」となる場合は、次にこの外線Ｌ１は待機状態にあるか否かをステップＳ６で判断する。ここで、待機状態にあればステップＳ７へ移行して転極の有無を対応の外線状態監視回路１２を介して検出判断する。
　【００１５】
　そして、該当外線について転極が検出されステップＳ７の判定が「Ｙ」となると、対応の外線インタフェース１１の着信検出回路を介し端末起動信号の受信を確認したうえ、その外線のループ閉結を行って一次応答信号を交換機側へ送出する。その後、ステップＳ８でその外線Ｌについて外線使用中状態フラグをメモリ１６にセットし、かつこの外線Ｌの状態として発ＩＤ受信待ち状態（番号受信待ち状態）をステップＳ９でメモリ１６にセットする。続いて、各子機ＴＥＬに外線ビジーデータを伝送して、該当外線ランプを赤色点灯させ、次に回線交換回路１３を制御して空いている発ＩＤ受信回路１４と該当外線とを接続し、発ＩＤ受信回路１４に交換機側から送出される発ＩＤを受信させる。そしてその後、ステップＳ１へ戻って次の外線の番号をセットして外線選択し、選択した次の外線について同様な処理を行う。なお、待機状態中に転極が検出されない場合はステップＳ１へ戻り、ステップＳ１で次の外線を選択してステップ２以降の処理を同様に実行する。
　【００１６】
　次に、選択した外線が上述した番号受信待ち状態になっており、ステップＳ１１の判定が「Ｙ」となれば、発ＩＤ受信回路１４を介する発ＩＤ受信の終了の有無をステップＳ１２で判断し、これが「Ｙ」となればステップＳ１３でその選択外線の状態を呼出信号受信待ち状態としてメモリ１６にセットし、かつ該当外線インタフェース１１を制御して該当外線の直流ループを開放し発ＩＤ受信完了信号を送出したうえ、受信した発ＩＤを子機ＴＥＬへ送信しＬＣＤに表示させる。そしてその後、ステップＳ１へ戻って次の外線の番号をセットして次の外線を選択し、ステップＳ２以降の処理を同様に実行する。なお、番号受信待ち状態となっているときに発ＩＤの受信が終了しなければ、発ＩＤの受信処理を引き続いて継続すると共に、ステップＳ１へ戻り、ステップＳ１で次の外線を選択してステップ２以降の処理を同様に実行する。
　【００１７】
　次に、選択した外線が呼出信号待ち状態となっており、ステップＳ１５の判定が「Ｙ」となる場合は、対応の外線インタフェース１１の着信検出回路を介する呼出信号の有無をステップＳ１６で判断する。ここで呼出信号が該当外線に到来してステップＳ１６の判定が「Ｙ」となると、メモリ１６にセットされている該当外線の外線使用中状態フラグをステップＳ１７でリセットする。その後、着信データを子機ＴＥＬへ送信し、赤色点灯している該当外線ランプを緑色点滅させると共に、ブザーを着信鳴動させる着信処理をステップＳ１８で実行する。そして着信処理終了後はステップＳ１へ戻り、次の外線を選択してステップＳ２以降で同様の処理を実行する。なお、呼出信号待ち状態のときに呼出信号が検出されずにステップＳ１６の判定が「Ｎ」となる場合は、引き続いて呼出信号を監視すると共にステップＳ１へ戻り、次の外線を選択してステップＳ２以降で同様の処理を実行する。また、ステップＳ１５の判定が「Ｎ」となる場合は、ステップＳ２０で該当外線に関する例えばダイヤル発信処理などのその他の処理を行う。そしてその後、ステップＳ１へ戻り、次の外線を選択してステップＳ２以降で同様の処理を実行する。
　【００１８】
　次に、選択した外線に対し、子機ＴＥＬの該当外線キーが操作されて伝送されてくることにより、子機ＴＥＬ側からの外線捕捉要求がある場合（ステップＳ２で「Ｙ」の場合）は、メモリ１６を参照して該当外線に外線使用中状態フラグがセットされているか否かをステップＳ３で判断し、該フラグがセットされていなければ該当外線インタフェース１１を制御して該当外線の直流ループを閉結する等の外線捕捉処理をステップＳ４で実行する。そして、この処理が終了するとステップＳ１へ戻って次の外線を選択し、ステップＳ２以降で同様の処理を実行する。
　なお、上記外線捕捉処理の際には捕捉要求を行った子機ＴＥＬに対しては該当外線ランプが緑色点灯となるランプデータを、また他の子機ＴＥＬに対しては該当外線ランプが赤色点灯となるランプデータをそれぞれ送信し、該当外線ランプをそれぞれ緑色または赤色点灯させる。
　【００１９】
　一方、子機ＴＥＬ側からの外線捕捉要求があった場合に外線使用中フラグがセットされていれば、外線捕捉要求を行った子機ＴＥＬに対しビジーデータを返送し、ブザーからビジートーンを送出させるビジー処理をステップＳ５で行う。そして、この処理が終了するとステップＳ１へ戻って次の外線を選択しステップＳ２以降で同様の処理を実行する。
　即ち、発ＩＤ通知機能を有する外線の転極に続き端末起動信号が検出されてから該外線に呼出信号が到来するまでの間は、この外線に対しては外線使用中状態フラグがセットされ、かつ各子機ＴＥＬの該当外線ランプは赤色点灯している。このような外線に対して子機ＴＥＬ側で該当外線キーを操作して外線捕捉要求を行った場合は、該子機ＴＥＬに対しビジートーンを送出させ、該当外線を捕捉させないようにしたものである。
　この結果、こうした状態の外線が子機ＴＥＬにより誤って捕捉されることを阻止でき、従ってこの場合、本装置に呼出を行っている発信者側へのビジートーン送出が阻止され、発信者側では呼出を継続できる。
　【００２０】
　ところで、発ＩＤを表示する子機ＴＥＬの表示部２３のＬＣＤには、通常、着信に応答可能な外線の発ＩＤを表示している。ここで、交換機側から複数の外線を介して同時に複数の発ＩＤが通知され、これら応答可能な複数の発ＩＤのうち何れかの発ＩＤがＬＣＤに表示されている場合、利用者はどの外線の発ＩＤがＬＣＤに表示されているか識別することができず、着信応答の際に混乱を招くという問題がある。
　【００２１】
　このため、メモリ１６に図４に示すような各テーブルを設け、各子機ＴＥＬに表示する発ＩＤの表示優先順位を定めるようにする。
　即ち、先ず図４（ａ）に示すような着信状態テーブルをメモリ１６に設け、各局線（外線）毎に着信の有無と発ＩＤとを記憶できるようにする。ここで、該当外線に対応する着信状態エリアの値が「１」であれば該当外線は着信中を示しこのときこの外線から受信した発ＩＤは対応の発信者番号エリアに記憶される。また、着信状態エリアの値が「０」であれば、この外線は非着信中であり、この時には発信者番号エリアは、発ＩＤが記憶されていないことを示す１６進の値「ＦＦＦ・・・Ｆ」が記憶される。
　【００２２】
　次に図４（ｂ）は発信者番号表示管理テーブルであり、子機のＬＣＤに表示される発ＩＤの局線（外線）が各子機ＴＥＬに対応して記憶される。このテーブルには着信の順序に応じ最も先に着信があった外線番号が記憶される。なお、このテーブルの外線番号は子機側の所定操作に基づく変更要求により他の外線番号に変えることが可能であり、従って該当子機では他の外線の発番号を表示できる。この例では、外線Ｌ３，Ｌ１の順に着信が到来したときに、子機ＴＥＬ１，ＴＥＬ３，ＴＥＬｍでは先着の外線Ｌ３の発ＩＤ表示を継続しているが、子機ＴＥＬ２では上記の変更要求により先着の外線Ｌ３の発ＩＤ表示を後着の外線Ｌ１の発ＩＤに切り替えて表示する例を示している。
　【００２３】
　また、図４（ｃ）は着信優先テーブルであり、発ＩＤを優先表示すべき局線の番号を示している。このテーブルは着信順にその優先順位を定めるもので、このテーブルでは最も先に着信があった外線Ｌ３から受信した発ＩＤが最も表示優先順位が高く、次いで次に着信があった外線Ｌ１の順となっており、局線番号の欄の「０」は非着信中を示している。なお、図４（ｃ）のテーブルに示す優先順位の高い外線着信が応答などにより非着信状態（通話状態）になったときに、他の外線に次位の優先度の着信が継続している場合は、その外線の発ＩＤがＬＣＤに表示され、この際には図４（ｂ）の発信者番号表示管理テーブルの書き換えが行われる。
　【００２４】
　このような各テーブルを設けることで、複数の受信発ＩＤを表示する場合に各子機ＴＥＬのＬＣＤには着信順などの優先順位にしたがった１つの発ＩＤのみが表示され、利用者の着信応答時の際の混乱を回避できる。また、受信した複数の発ＩＤを１台の子機ＴＥＬに表示する場合、所定の操作に基づく上述の変更要求により複数の各発ＩＤを順次１つづつ表示することも可能である。
　なお、以上の例では主装置１のメモリ１６に各テーブルを設けているが、子機ＴＥＬの図示しないメモリにこうしたテーブルを設けても同様の効果を奏する。
　【００２５】
　即ち、外線の着信時に主装置１では外線から受信した発ＩＤをその外線の番号とともに子機ＴＥＬ側に伝送する。子機ＴＥＬではこの発ＩＤ及び外線番号を受信すると図４（ａ）のテーブルに外線番号に対応して発ＩＤを記憶し、かつ図４（ｂ）のテーブルに表示外線番号（表示局線番号）を記憶する。その後、図４（ｃ）の着信優先テーブルに着信順に従ってその外線番号を記憶すると共に、この受信発ＩＤを表示部２３のＬＣＤに表示する。なお、このとき図４（ｂ）のテーブルに既に他の外線の番号が記憶されている場合は、今回受信した外線番号は図４（ｃ）の着信優先テーブルに記憶されるのみで図４（ｂ）のテーブルには記憶されずかつＬＣＤにも表示されない。
　【００２６】
　その後、該当子機がＬＣＤに発ＩＤが表示中の外線着信に応答するか、或いは他の子機がその外線着信に応答することにより、主装置１側から発ＩＤの消去指示データが外線番号とともに伝送されてくると、子機側では図４（ａ）のテーブルに記憶されているその外線番号に対応する発ＩＤを消去する。次いで図４（ｃ）の着信優先テーブルの発ＩＤを消去し次位の発ＩＤを最優先とする更新処理を行った後、この更新された着信優先テーブルに従い表示すべき発ＩＤを図４（ａ）のテーブルから読み出して表示部２３のＬＣＤに表示する。そして、その外線番号を図４（ｂ）のテーブルに記憶する。
　【００２７】
　【発明の効果】
　以上説明したように本発明によれば、発信側の発呼に基づき着信側へ発ＩＤを通気する交換機に接続される外線へ着信の到来を示す端末起動信号が到来してから着信開始を示す呼出信号が到来するまでの間はこの外線を捕捉禁止状態に設定するようにしたので、こうした発ＩＤが通知される外線が着信時に上記捕捉禁止状態になっている際にはその外線の捕捉が不可となることから、発信側へビジートーンが送出されるといった不具合を回避できる。
　また、接続された子機が捕捉禁止状態の外線の捕捉操作を行った場合その子機をビジー状態とするようにしたので、子機側に対しその外線が捕捉できないことを的確に報知できる。
　また、接続された子機の表示部に対し捕捉禁止状態の外線の表示を捕捉不可を示す可視表示として表示するようにしたので、当該子機ではその外線が使用不可であることを事前に確認できる。
【図面の簡単な説明】
　【図１】　本発明に係る電話装置の構成を示すブロック図である。
　【図２】　上記装置の他の構成例を示すブロック図である。
　【図３】　上記装置の要部動作を示すフローチャートである。
　【図４】　上記装置に収容した各外線の着信時の状態及び各外線の着信状態を表示する子機の着信表示優先順位を示すテーブルである。
　【符号の説明】
　１…主装置、１１ｌ〜１１ｎ…外線インタフェース、１２，１２ｌ〜１２ｎ…外線状態監視回路、１３…回線交換回路、１４，１４ｌ〜１４ｘ…発ＩＤ受信回路、１５…ＣＰＵ、１６…メモリ、１７ｌ〜１７ｍ…電話機インタフェース、１８，１９…スイッチ回路、２１…制御部、２２…伝送回路、２３…表示部（ＬＣＤ，外線ランプ）、２４…通話回路、２５…外線キー、２６…ダイヤルキー、ＴＥＬｌ〜ＴＥＬｍ…ボタン電話機、Ｌ１〜Ｌｎ…外線。